(57)【要約】【課題】ブランケットの裏面に裏貼りシートを容易に貼り付けることができ、ブランケットの耐用期間を延ばして使用できるブランケット裏貼り装置を提供する。【解決手段】回転ドラム21の裏貼りシート取付部34に裏貼りシート13の一端を取り付け、回転ドラム21のブランケット取付部30にブランケット12の一端が取り付ける。ブランケット12の裏面12bに対向する裏貼りシート13の一面13aには接着層17を有する。ブランケット12の他端側は、裏貼りシート13および回転ドラム21から離れるように複数の捌きローラ32で支持する。回転ドラム21を回転させ、ブランケット12の一端側および裏貼りシート13の一端側から回転ドラム21の周面に巻き付けていく。圧着ローラ26でブランケット12および裏貼りシート13を回転ドラム21の周面に圧着する。【選択図】図１
2011083985.tif 000002
【特許請求の範囲】
【請求項１】
周面にブランケット取付部を有する回転ドラムと、
一面に接着層が形成されている裏貼りシートの他面を前記回転ドラムの周面に向け、この裏貼りシートの一端を前記回転ドラムのブランケット取付部の位置よりこの回転ドラムの回転方向に対して反対側の近傍位置に取り付ける裏貼りシート取付手段と、
前記回転ドラムのブランケット取付部に一端が取り付けられたブランケットを、前記裏貼りシート取付手段で前記回転ドラムに一端が取り付けられた前記裏貼りシートから離して支持するブランケットガイド手段と、
前記回転ドラムの回転により前記回転ドラムの周面に巻き付けられていく前記ブランケットの一端側および前記裏貼りシートの一端側から、前記ブランケットを前記裏貼りシートを介して前記回転ドラムの周面に圧着する圧着ローラと
を具備していることを特徴とするブランケット裏貼り装置。
【請求項２】
前記回転ドラムの回転により前記回転ドラムの周面に巻き付けられていく前記裏貼りシートが、前記回転ドラムの周面に密着するようにガイドする裏貼りシートガイド手段を具備している
ことを特徴とする請求項１記載のブランケット裏貼り装置。
【発明の詳細な説明】
【技術分野】
【０００１】
本発明は、ブランケットの裏面に裏貼りシートを貼り付けるブランケット裏貼り装置に関する。
【背景技術】
【０００２】
従来、オフセット印刷の輪転機では、刷胴の刷版に描かれた絵柄部分のインクがブランケット胴のブランケットに転写され、このブランケットに転写されたインクがブランケット胴と圧胴との間を通る紙に転写されて印刷される。
【０００３】
ブランケットは、ゴムなどの弾性部材で形成されており、印刷時には刷胴および圧胴とそれぞれ接触して印圧がかかる影響で所定期間使用することにより潰れて薄くなり、所望の印刷品質を得るのに必要な印圧が不足するようになったり、あるいは表面に傷が付いた場合に、新品と交換するようにしている。
【０００４】
また、ブランケットとブランケット胴の周面との間には薄いシートを介在させることもあり、この場合、ブランケットが薄くなれば、その薄くなった分だけ厚いシートと交換することで対応する必要があるが、シートの交換は容易にはできないため、シートを用いないのが一般的となってきている（例えば、特許文献１参照。）。
【０００５】
また、オフセット印刷の輪転機に使用されるインクは、従来は鉱石油を主成分とするインクを使用していたが、最近では環境にやさしい植物油を主成分とするいわゆるエコインクに切り換えられている。
【先行技術文献】
【特許文献】
【０００６】
【特許文献１】特開平６−１６６２８２号公報（第２頁）
【発明の概要】
【発明が解決しようとする課題】
【０００７】
従来の鉱石油を主成分とするインクを使用していた場合には、その主成分である鉱石油の影響でブランケットが膨潤するので、印圧の影響を受けてもブランケットが薄くなるのには比較的長い期間がかかり、ブランケットの表面に傷が付かなければ、例えば８ヶ月程度使用できる。
【０００８】
しかし、エコインクに切り換えて使用した場合には、その主成分が植物油であるため、ブランケットが膨潤せず、印圧の影響を受けてブランケットが比較的早い期間で薄くなりやすく、例えば４ヶ月程度使用するだけで、印圧不足が発生する。
【０００９】
このように、鉱石油を主成分とするインクに代えて、エコインクを使用するようになってから、ブランケットの耐久期間が短くなり、ブランケットを新品と交換する頻度が多くなっている。
【００１０】
また、ブランケットが薄くなれば、ブランケットとブランケット胴との間に薄いシートを介在させることも考えられるが、シートを介在させることは容易にできず、実施されていないのが現状である。
【００１１】
シートを介在させることが容易にできない理由としては、ブランケットの裏面にシートを貼り付けることが考えられるが、例えば平らな場所で平面状に伸ばしたブランケットにシートを貼り付けるのでは、このブランケットをブランケット胴の周面に沿って巻き付けた際に、シートにしわが寄りやすく、ブランケットの印圧に影響が生じやすい問題がある。また、輪転機の近傍に、ブランケットを広げてシートを貼り付ける広いスペースを必要とする問題もある。
【００１２】
本発明は、このような点に鑑みなされたもので、ブランケットの裏面に裏貼りシートを容易に貼り付けることができ、ブランケットの耐用期間を延ばして使用できるブランケット裏貼り装置を提供することを目的とする。
【課題を解決するための手段】
【００１３】
請求項１記載のブランケット裏貼り装置は、周面にブランケット取付部を有する回転ドラムと、一面に接着層が形成されている裏貼りシートの他面を前記回転ドラムの周面に向け、この裏貼りシートの一端を前記回転ドラムのブランケット取付部の位置よりこの回転ドラムの回転方向に対して反対側の近傍位置に取り付ける裏貼りシート取付手段と、前記回転ドラムのブランケット取付部に一端が取り付けられたブランケットを、前記裏貼りシート取付手段で前記回転ドラムに一端が取り付けられた前記裏貼りシートから離して支持するブランケットガイド手段と、前記回転ドラムの回転により前記回転ドラムの周面に巻き付けられていく前記ブランケットの一端側および前記裏貼りシートの一端側から、前記ブランケットを前記裏貼りシートを介して前記回転ドラムの周面に圧着する圧着ローラとを具備しているものである。
【００１４】
請求項２記載のブランケット裏貼り装置は、請求項１記載のブランケット裏貼り装置において、前記回転ドラムの回転により前記回転ドラムの周面に巻き付けられていく前記裏貼りシートが、前記回転ドラムの周面に密着するようにガイドする裏貼りシートガイド手段を具備しているものである。
【発明の効果】
【００１５】
請求項１記載のブランケット裏貼り装置によれば、ブランケットおよび裏貼りシートを回転ドラムに巻き付けながら、ブランケットの裏面に裏貼りシートをしわが寄ることなく容易に貼り付けることができる。そのため、裏貼りシートを貼り付けたブランケットをブランケット胴の周面に巻き付けて装着した際にも裏貼りシートにしわが寄りにくく、ブランケットに所望の印圧を付与でき、ブランケットの耐用期間を延ばすことができる。
【００１６】
請求項２記載のブランケット裏貼り装置によれば、請求項１記載のブランケット裏貼り装置の効果に加えて、回転ドラムの回転により回転ドラムの周面に巻き付けられていく裏貼りシートを、回転ドラムの周面に密着するように裏貼りシートガイド手段でガイドするため、裏貼りシートにしわが寄りにくくなり、裏貼りシートとブランケットや回転ドラムとの間に空気層が入るのを防止できる。
【図面の簡単な説明】
【００１７】
【図１】本発明の一実施の形態を示すブランケット裏貼り装置の側面図である。
【図２】同上ブランケット裏貼り装置の裏貼りシート取付手段の側面図である。
【図３】同上ブランケット裏貼り装置の斜視図である。
【図４】同上ブランケット裏貼り装置に裏貼りシートおよびブランケットの一端を回転ドラムに取り付けた斜視図である。
【図５】同上ブランケット裏貼り装置の裏貼りシートおよびブランケットを回転ドラムに巻き付けた斜視図である。
【図６】同上ブランケット裏貼り装置の退避状態の側面図である。
【発明を実施するための形態】
【００１８】
以下、本発明の一実施の形態を、図面を参照して説明する。
【００１９】
図１ないし図６において、11はブランケット裏貼り装置で、このブランケット裏貼り装置11により、ブランケット12の裏面12bに裏貼りシート13を貼り付ける。
【００２０】
ブランケット12は、例えば、ゴムなどの弾性部材で、初期の厚さ２．０５ｍｍの長方形シート状に形成され、表面12aおよび裏面12bを有し、長手方向の両端にはブランケット胴に取り付けるための取付部材15が突設されている。
【００２１】
裏貼りシート13は、例えば、ポリエステルフィルムで、厚さ０．０３〜０．０５ｍｍの長方形シート状に形成されている。裏貼りシート13の短手方向の幅寸法はブランケット12の短手方向の幅寸法と同程度に形成され、裏貼りシート13の長手方向の長さ寸法はブランケット12の長手方向の長さ寸法より少し短く形成されている。裏貼りシート13の一面13aには接着層17が形成され、反対の他面13bには接着層17は形成されておらず、裏貼りシート13の取扱時には一面13aに接着層17を保護する図示しない剥離シートが貼り付けられており、貼付使用時にその剥離シートが剥離されて接着層17が露出される。
【００２２】
そして、ブランケット裏貼り装置11は、回転ドラム21、この回転ドラム21に一端が取り付けられたブランケット12の他端側を回転ドラム21から離れるように支持するブランケットガイド手段22、回転ドラム21に裏貼りシート13の一端を取り付ける裏貼りシート取付手段23、裏貼りシート13を回転ドラム21に密着するようにガイドする裏貼りシートガイド手段24、裏貼りシート13にテンションを付与するテンション付与手段25、およびブランケット12および裏貼りシート13を回転ドラム21に圧着させる圧着ローラ26を備えている。
【００２３】
回転ドラム21は、円筒状に形成され、中心軸29を中心として回転する。回転ドラム21の周面には、ブランケット12の一端が着脱可能に取り付けられるブランケット取付部30が設けられている。このブランケット取付部30は、回転ドラム21の軸方向に沿った溝状に形成されている例を示すが、ピンなどを設けてもよく、ブランケット12の一端が着脱に取り付けられればどのような構成でも構わない。そして、回転ドラム21には、ブランケット12の裏面12bが回転ドラム21の周面に対向するように向けて、ブランケット12の一端の取付部材15がブラケット取付部30に取り付けられる。
【００２４】
また、ブランケットガイド手段22は、図示しない支持機構にそれぞれ回転可能に支持された複数の捌きローラ32を備え、これら捌きローラ32で、回転ドラム21のブランケット取付部30に一端が取り付けられたブランケット12の裏面12bを支持することにより、このブランケット12を回転ドラム21の周面および裏貼りシート取付手段23で回転ドラム21に一端が取り付けられる裏貼りシート13から離れるように支持する。
【００２５】
また、裏貼りシート取付手段23は、回転ドラム21の周面のブランケット取付部30の位置よりこの回転ドラム21の回転方向に対して反対側の近傍位置に並んで設けられた裏貼りシート取付部34、および裏貼りシート13の一端を裏貼りシート取付部34に着脱可能に取り付ける裏貼りシート取付部材35を備えている。
【００２６】
裏貼りシート取付部34は、回転ドラム21の軸方向に沿って形成されている。この裏貼りシート取付部34には、回転ドラム21の軸方向の少なくとも２箇所に位置決め孔36が形成されている。
【００２７】
裏貼りシート取付部材35は、裏貼りシート取付部34に着脱可能に嵌り込んで取り付けられる細長いバー状に形成され、その裏貼りシート取付部34に嵌り込んで取り付けた状態で裏貼りシート取付部材35の表面が回転ドラム21の周面と同一の円弧となるように形成されている。裏貼りシート取付部材35の裏面の長手方向の少なくとも２箇所には、裏貼りシート取付部34の各位置決め孔36に挿入されることによって裏貼りシート13を回転ドラム21に位置決めする位置決めピン37が突設されている。そして、裏貼りシート取付部材35は、裏貼りシート13の一端を裏貼りシート取付部34との間に挟み込んで取り付ける。
【００２８】
また、裏貼りシートガイド手段24は、図示しない支持機構（捌きローラ32の支持機構とは別）に回転可能に支持されたガイドローラ39を有し、このガイドローラ39で、回転ドラム21の回転により回転ドラム21の周面に巻き付けられていく裏貼りシート13の他面13bを支持することにより、この裏貼りシート13の他面13bが回転ドラム21の周面に密着して巻き付くようにガイドする。
【００２９】
また、テンション付与手段25は、裏貼りシート13の他端に取り付けられる錘41を有し、この錘41で、回転ドラム21の回転により回転ドラム21の周面に巻き付けられていく裏貼りシート13にテンションを付与する。
【００３０】
また、圧着ローラ26は、支軸43を中心として一体に揺動可能な支持機構の一部を構成するアーム44の先端に回転可能に支持され、裏貼り処理時には回転ドラム21に対して所定の圧力で押し付けられ、回転ドラム21の回転により回転ドラム21の周面に巻き付けられていくブランケット12の一端側および裏貼りシート13の一端側から、ブランケット12を裏貼りシート13を介して回転ドラム21の周面に圧着させる。
【００３１】
そして、ブランケット裏貼り装置11は、複数の捌きローラ32、ガイドローラ39、および圧着ローラ26が、ブランケット12の裏面12bに裏貼りシート13を貼り付ける裏貼り処理位置（図６に実線で示す位置）と、ブランケット12および裏貼りシート13を回転ドラム21に着脱する際に回転ドラム21の上方に退避する退避位置（図６に２点鎖線で示す位置）との間で移動可能とする。
【００３２】
次に、ブランケット裏貼り装置11の動作を説明する。
【００３３】
輪転機で同じブランケット12を所定期間使用し、ブランケット12が潰れて薄くなり、所望の印刷品質を得るのに必要な印圧が不足するようになった場合には、ブランケット12をブランケット胴から外してブランケット裏貼り装置11に装着し、ブランケット裏貼り装置11によってブランケット12の裏面12bに裏貼りシート13を貼り付ける。
【００３４】
ブランケット裏貼り装置11では、まず、回転ドラム21に裏貼りシート13を装着する。このとき、複数の捌きローラ32および圧着ローラ26を回転ドラム21の上方に退避させ、ガイドローラ39のみ下方の裏貼り処理位置に配置しておく。そして、裏貼りシート13の一端に裏貼りシート取付部材35を取り付け、裏貼りシート13の他端に錘41を取り付ける。裏貼りシート13の他面13bを回転ドラム21に対向するように向けて、裏貼りシート13の一端側をガイドローラ39および回転ドラム21上に配置し、裏貼りシート取付部材35を回転ドラム21の裏貼りシート取付部34に取り付ける。このとき、裏貼りシート取付部材35の各位置決めピン37を裏貼りシート取付部34の各位置決め孔36に挿入し、裏貼りシート13を回転ドラム21に位置決めする。また、裏貼りシート13の剥離シートを剥離して接着層17を露出させる。
【００３５】
続いて、回転ドラム21にブランケット12を装着する。このとき、複数の捌きローラ32を下方の裏貼り処理位置に配置し、圧着ローラ26のみ回転ドラム21の上方に退避させておく。そして、ブランケット12の裏面12bが複数の捌きローラ32や裏貼りシート13および回転ドラム21などに対向するように向けて、ブランケット12の一端側を複数の捌きローラ32上に配置し、ブランケット12の一端の取付部材15をブランケット取付部30に取り付ける。
【００３６】
ブランケット12の装着後、圧着ローラ26を下方の裏貼り処理位置に配置する。
【００３７】
ここまでが裏貼り処理の準備工程であり、この準備工程が完了した状態が図１および図３の状態となる。
【００３８】
そして、回転ドラム21を図中時計回り方向に回転させることにより、ブランケット12の一端側および裏貼りシート13の一端側が回転ドラム21に引き込まれて巻き付けられていくとともに、圧着ローラ26でブランケット12が裏貼りシート13を介して回転ドラム21に押圧され、ブランケット12の裏面12bに裏貼りシート13の一面13aの接着層17が貼り付けられていく。
【００３９】
このとき、ガイドローラ39によって、回転ドラム21の周面に巻き付けられていく裏貼りシート13の他面13bを支持することにより、この裏貼りシート13の他面13bが回転ドラム21の周面に密着して巻き付くようにガイドする。また、裏貼りシート13の他端に取り付けられた錘41で、回転ドラム21の周面に巻き付けられていく裏貼りシート13にテンションを付与する。したがって、裏貼りシート13にしわが寄りにくく、裏貼りシート13とブランケット12や回転ドラム21との間に空気層が入るのを防止できる。
【００４０】
図５に示すように、回転ドラム21を一周近く回転させることにより、ブランケット12の裏面12bに対する裏貼りシート13の貼り付けが完了する。
【００４１】
そして、裏貼りシート13の貼り付けが完了したら、複数の捌きローラ32、ガイドローラ39および圧着ローラ26を上方に退避させ、裏貼りシート13を貼り付けたブランケット12を回転ドラム21から外す。
【００４２】
このように、ブランケット裏貼り装置11によれば、ブランケット12および裏貼りシート13を回転ドラム21に巻き付けながら、ブランケット12の裏面12bに裏貼りシート13をしわが寄ることなく容易に貼り付けることができる。そのため、裏貼りシート13を貼り付けたブランケット12をブランケット胴の周面に巻き付けて装着した際にも裏貼りシート13にしわが寄りにくく、裏貼りシート13によってブランケット12に所望の印圧を付与でき、ブランケット12の耐用期間を延ばすことができる。
【００４３】
なお、ブランケットガイド手段22および裏貼りシートガイド手段24は、ローラに限らず、ガイド板を用いてもよく、これらローラとガイド板を組み合わせてもよい。
【００４４】
また、裏貼りシート取付手段23は、裏貼りシート取付部材35を用いたが、裏貼りシート13の一端を回転ドラム21に取り付けることができれば、どのような構成を用いても構わない。
【００４５】
また、テンション付与手段25は、錘41に限らず、スプリングなどを用いてテンションを付与してもよい。
【符号の説明】
【００４６】
11    ブランケット裏貼り装置
12    ブランケット
13    裏貼りシート
13a   一面
13b   他面
17    接着層
21    回転ドラム
22    ブランケットガイド手段
23    裏貼りシート取付手段
24    裏貼りシートガイド手段
26    圧着ローラ
30    ブランケット取付部
【図１】
2011083985.tif 000003
【図２】
2011083985.tif 000004
【図３】
2011083985.tif 000005
【図４】
2011083985.tif 000006
【図５】
2011083985.tif 000007
【図６】
2011083985.tif 000008